(57)【要約】【課題】  地震の発生時に収納庫の扉が不用意に開くことを防止できるだけではなく、地震時に停電や断線事故が生じても、扉のロックを確実に解除でき、また平常時には鍵の保管等に利用できるよう形成した、使い勝手の良い、また付加価値の高い振動感知式の錠装置を提供する。【解決手段】  揺れが設定値に至ると信号を出力する感震装置１と、この感震装置１からの出力信号を受けて収納庫３の扉３ａをロックするロッド形キー５を有する施錠装置４とで形成する。ロッド形キー５を手動復帰させるための摘み７を、施錠装置４に外部操作自在に設ける。ロッド形キー５は、その基端５ａを平常時は施錠装置４のケース４ａ外に突き出させて露出させると共に、ロック時はケース４ａ内に埋没可能に設ける。【選択図】      図１
2006241876.tif 000002
【特許請求の範囲】
【請求項１】
揺れが設定値に至ると信号を出力する感震装置と、この感震装置からの出力信号を受けて収納庫の扉をロックするロッド形キーを有する施錠装置とで形成されている振動感知式の錠装置であって、上記のロッド形キーを手動復帰させるための摘みが施錠装置に外部操作自在に設けられ、またロッド形キーは、その基端が平常時は施錠装置のケース外に突き出されて露出されていると共に、ロック時はケース内に埋没可能に設けられていることを特徴とする振動感知式の錠装置。
【請求項２】
請求項１記載の振動感知式の錠装置であって、施錠装置が、収納庫の上面の前端部に、ロッド形キーの基端を上にして設けられていることを特徴とする振動感知式の錠装置。
【発明の詳細な説明】
【技術分野】
【０００１】
本発明は振動感知式の錠装置に関し、更に詳しくは清涼飲料水等の収納庫の扉が地震等の揺れで開いて収納物が外に落下、散乱することを防止できるよう形成した振動感知式の錠装置に関するものである。
【背景技術】
【０００２】
従来この種の装置としては、地震等の揺れを検知する感震手段と、戸棚のドアをロックするロック機構と、このロック機構を戸棚の内部状況に応じて解錠するスイッチを備えた解錠手段と、またロック機構のロック動作を解錠手段の解錠動作よりも優先させる手段とを備えてなるものがある（例えば特許文献１参照）。
【０００３】
而して特許文献１に係る従来品は、上記の通り、解錠手段が電気回路を開閉するスイッチを備え、ロック機構のロック状態の解除をこのスイッチに依存していた。従って従来品によると、地震で停電したり断線すると、ロック機構のロック状態を解除できない、という問題点があった。
また従来品は、地震の際、収納庫の扉を自動で閉める機能を持つのに止まり、平常時は全く利用の術がなかった。従って地震対策用のこの種の装置は、その必要性が認められても、導入経費等の、コスト対効果等の点から、従来、商品陳列ケースや清涼飲料水の冷蔵庫等への普及がなかなか進まないのが実情であった。
【特許文献１】特許第２７１８６４４号公報
【発明の開示】
【発明が解決しようとする課題】
【０００４】
本発明は、このような従来技術の問題点に鑑み、提案されたものである。
従って本発明の解決しようとする技術的課題は、地震の発生時に収納庫の扉が不用意に開くことを防止できるだけではなく、地震時に停電や断線等の事故が生じても、扉のロック状態を確実に解除でき、また平常時には鍵の保管等に利用できるよう形成した、使い勝手の良い、また付加価値の高い振動感知式の錠装置を提供することにある。
【課題を解決するための手段】
【０００５】
本発明は、上記の課題を解決するため、次のような技術的手段を採る。
即ち本発明は、図１等に示されるように、揺れが設定値に至ると信号を出力する感震装置１と、この感震装置１からの出力信号を受けて収納庫３の扉３ａをロックするロッド形キー５を有する施錠装置４とで形成されている振動感知式の錠装置であって、上記のロッド形キー５を手動復帰させるための摘み７が施錠装置４に外部操作自在に設けられ、またロッド形キー５は、その基端５ａが平常時は施錠装置４のケース４ａ外に突き出されて露出されていると共に、ロック時はケース４ａ内に埋没可能に設けられていることを特徴とする（請求項１）。
【０００６】
本発明の場合、感震装置１は、扉３ａの開け閉め時の振動の影響を受けないよう、収納庫３から離された位置に設置される。また施錠装置４は、通常、扉３ａの前面や収納庫３の上面３ｂ等に扉３ａごと設けられる。摘み７は、ロッド形キー５に連結され、通常、施錠装置４の前面や側面でスライド自在に形成されることにより実現される。また本発明の場合、施錠装置４と感震装置１は、通常、電線６で接続されるが、図１１に示されるように、感震装置１からの出力信号が無線で施錠装置４に送信されるようワイヤレス方式に形成されるのでも良い。
【０００７】
また本発明の錠装置は、施錠装置４が、収納庫３の上面３ｂの前端部に、ロッド形キー５の基端５ａを上にして設けられているのが好ましい（請求項２）。
なぜならこの場合は、例えば収納庫３の扉３ａをロックするための本来の鍵を、平常時にロッド形キー５の基端５ａに引っ掛け易くなり、また地震の発生時にロッド形キー５が下降してケース４ａ内に引っ込むと鍵が扉３ａの前などに落下し、鍵を確実、容易に入手でき、一層、使い勝手が良くなるからである。
【発明の効果】
【０００８】
本発明の錠装置は、このように形成されているから、これによれば地震の発生時に扉が開くことを防止できるだけではなく、摘みを手動で操作してロッド形キーを復帰させることができる。従ってこれによると、地震後の停電や断線等の事故に影響を受けることなく、扉を確実に開けることができる。
また本発明の場合は、施錠装置のロッド形キーの基端が、平常時にケースから露出しているから、これに鍵や小物を引っ掛けて吊るして置くことができる。従って本発明によると、施錠装置が平常時に鍵等の保管機能を持つから、その分、使い勝手が良くなり、またこの種の装置の付加価値を高めることができる。
【発明を実施するための最良の形態】
【０００９】
以下、本発明を実施するための最良の形態を説明する。
図１等において、１は揺れが設定値に至ると信号を出力する感震装置である。この感震装置１は、図２、図３に示されるように、振動検知センサー１ａと、制御装置１ｂとしての例えばシーケンサーと、ソレノイド２（図１等参照）の通電時間を設定するタイマー１ｃと、また電源１ｄの交流１００Ｖを直流２４Ｖに変圧する電源回路１ｅ等を備えて形成されている。感震装置１は、収納庫３の扉３ａを開閉する時の振動の影響を受けないよう、本発明では収納庫３から離された位置に設置されている。振動検知センサー１ａとタイマー１ｃは、この実施形態では震度５以上の揺れで、信号を約１秒間出力するよう設定されている。なお本発明の場合、制御装置１ｂは、マイコンで構成されるのでも良い。
【００１０】
４は、施錠装置である。この施錠装置４は、感震装置１からの出力信号を受けて収納庫３の扉３ａをロックするロッド形キー５を有して形成されている。収納庫３の扉３ａは、観音式に形成され、施錠装置４は、各扉３ａに対応して左右一対状に設けられている。施錠装置４と感震装置１は、信号ラインとしての電線６で接続されている。
【００１１】
７は、ロッド形キー５を手動復帰させるための摘みである。この摘み７は、ピン状に形成され、内端がロッド形キー５に接続され、外端が施錠装置４のケース４ａの外側に、縦向きのスリット状の窓８を介して突き出され、外部操作可能に設けられている。摘み７を案内する窓８は、ケース４ａの前面に、ロッド形キー５の軸心位置にその軸心を合わせて縦長状に形成されている。
【００１２】
上記の施錠装置４は、収納庫３の上面３ｂの前端部に、ロッド形キー５の基端５ａを上にして設けられている。ロッド形キー５は、その基端５ａが平常時には施錠装置４のケース４ａ外に突き出されて露出されると共に、ロック時はケース４ａ内に埋没可能に形成されている（図４、図７等参照）。
【００１３】
また施錠装置４は、感震装置１からの出力信号で駆動するソレノイド２（図１等参照）を備え、このソレノイド２の駆動によりロッド形キー５は、先端５ｂがケース４ａから突き出て収納庫３の扉３ａに設けられているキー受け部９（図４、図７等参照）に嵌合し、扉３ａをロックするよう形成されている。
【００１４】
１０（図８、図９参照）は、ロッド形キー５を、図面上、下方に弾発しているコイルバネである。このコイルバネ１０は、ロッド形キー５に外装され、ロッド形キー５の鍔５ｃとケース４ａの内壁との間に配置されている。また１１は、ソレノイド２の駆動時にソレノイドピン２ａで突かれてロッド形キー５の静止状態を解除すると共に、ロッド形キー５が復帰するとロッド形キー５を復帰位置に静止させるカム部材である。このカム部材１１は、ロッド形キー５の鍔５ｃと係合する爪１１ａを有し、軸１１ｂを中心に所定角度回転可能に、且つ軸１１ｂに巻回されているバネ１１ｃで、図面上、時計方向に付勢されている。
【００１５】
次に本発明装置の作用を説明する。
例えば震度５の揺れがあると、振動検知センサー１ａからの信号により、ソレノイド２が駆動し、ソレノイドピン２ａが、図９Ａに示されるように、上方に突き出てカム部材１１の基端部を押圧する。するとカム部材１１が、軸１１ｂを中心に反時計方向に回され、爪１１ａが鍔５ｃから離される。すると、ロッド形キー５がコイルバネ１０の復元力で下降し、扉３ａのキー受け部９に先端５ｂが嵌合して扉３ａをロックする。このとき、ロッド形キー５の基端５ａは、ケース４ａ内に埋没する。従って使用者が、ロッド形キー５の基端５ａに、予め例えば扉３ａの開閉用の鍵や非常持ち出し用の袋、或いはバール等の手動工具を引っ掛けて置くと、これらが収納庫３の前に落下し、使用者は地震等の際にこれらを直ぐに回収して迅速に対処することができる。
【００１６】
上記のソレノイド２は、この実施形態では約１秒だけ駆動し、ソレノイドピン２ａが突き出される。そしてこのソレノイドピン２ａが自動復帰すると（図９Ｂ参照）、カム部材１１がバネ１１ｃの復元力で時計方向に所定角度回り、原位置に復帰する。使用者が、この状態でコイルバネ１０の弾発力に抗して摘み７を上方に移動すると、ロッド形キー５が引き上げられ、扉３ａのロック状態が解除される。即ち、ロッド形キー５が引き上げられると、ロッド形キー５の先端５ｂがキー受け部９から抜かれ、鍔５ｃがカム部材１１の爪１１ａを、一旦、押し広げた後、カム部材１１がバネ１１ｃの作用で復元することにより、カム部材１１が鍔５ｃに係止する（図８参照）。これにより、扉３ａのロック状態が解除されると共に、摘み７から手指を離しても、ロッド形キー５の下降が防止されるものである。
【００１７】
以上の処において、本発明の場合、施錠装置４は、図１０に示されるように、一方側の扉３ａに、ロッド形キー５が横向きの状態で取り付けられ、ロッド形キー５の先端５ｂが係合するキー受け部９が他方側の扉３ａの対応位置に取り付けられているのでも良い。
また感震装置１と施錠装置４は、図１１に示されるように、感震装置１から振動検知センサー１ａの出力信号を無線で施錠装置４に送信可能になるよう、感震装置１に送信機１２が設けられ、施錠装置４に受信機１３が設けられているのでも良い。１４は、アンテナである。
【図面の簡単な説明】
【００１８】
【図１】本発明の錠装置を観音式扉の収納庫に実現した状態の要部構成図である。
【図２】同上装置の構成図である。
【図３】同上装置のシーケンス図である。
【図４】ロッド形キーが扉をロックした状態を示す要部構成図である。
【図５】施錠装置の底面図である。
【図６】施錠装置の非通電時を示し、Ａは正面図、Ｂは側面図である。
【図７】施錠装置の通電時を示し、Ａは正面図、Ｂは側面図である。
【図８】施錠装置の非通電時における内部構造を示す蓋を開けた状態の正面図である。
【図９】Ａは施錠装置の通電時における動作を示す、蓋を開けた状態の正面図、Ｂはソレノイドが復帰したときの作用を説明するための蓋を開けた状態の正面図である。
【図１０】観音式扉を１個の施錠装置でロックする場合の一実施形態を示し、Ａは平常時の要部正面図、Ｂはロック時の要部正面図である。
【図１１】感震装置と施錠装置とが無線で接続される場合の要部構成図である。
【符号の説明】
【００１９】
１    感震装置
２    ソレノイド
２ａ  ソレノイドピン
３    収納庫
３ａ  扉
３ｂ  上面
４    施錠装置
４ａ  ケース
５    ロッド形キー
５ａ  基端
５ｂ  先端
５ｃ  鍔
７    摘み
【図１】
2006241876.tif 000003
【図２】
2006241876.tif 000004
【図３】
2006241876.tif 000005
【図４】
2006241876.tif 000006
【図５】
2006241876.tif 000007
【図６】
2006241876.tif 000008
【図７】
2006241876.tif 000009
【図８】
2006241876.tif 000010
【図９】
2006241876.tif 000011
【図１０】
2006241876.tif 000012
【図１１】
2006241876.tif 000013